(57)【要約】【課題】災害時、停電時等不測の事態が発生しても、ラジオ受信機、テレビジョン受像機、その他の電器製品を使用できるようにすることを目的とする。【解決手段】商用電源入力端子１０と、リチウムイオン二次電池１７と、この商用電源入力端子１０よりの商用電源により、このリチウムイオン二次電池１７を充電する充電回路１２と、このリチウムイオン二次電池１７の直流電圧を所望の直流電圧に変換するＤＣ−ＤＣコンバータ２２と、このリチウムイオン二次電池１７の直流電圧を所望の交流電圧に変換するＤＣ−ＡＣコンバータ２０とを有し、この商用電源入力端子１０よりの商用電源をそのまま出力する第１の交流電源出力端子１６ａ，１６ｂとこのＤＣ−ＤＣコンバータ２２よりの所望の直流電圧を出力する直流電源出力端子２３ａ，２３ｂとこのＤＣ−ＡＣコンバータ２０よりの所望の交流電圧を出力する第２の交流電源出力端子２１ａ，２１ｂとを設けたものである。【選択図】　　　　図１
2004147022.tif 000002
【特許請求の範囲】
【請求項１】
商用電源入力端子と、
リチウムイオン二次電池と、
前記商用電源入力端子よりの商用電源により前記リチウムイオン二次電池を充電する充電回路と、
前記リチウムイオン二次電池の直流電圧を所望の直流電圧に変換するＤＣ−ＤＣコンバータと、
前記リチウムイオン二次電池の直流電圧を所望の交流電圧に変換するＤＣ−ＡＣコンバータとを有し、
前記商用電源入力端子よりの商用電源をそのまま出力する第１の交流電源出力端子と前記ＤＣ−ＤＣコンバータよりの所望の直流電圧を出力する直流電圧出力端子と前記ＤＣ−ＡＣコンバータよりの所望の交流電圧を出力する第２の交流電源出力端子とを設けたことを特徴とする電源装置。
【請求項２】
請求項１記載の電源装置において、
前記リチウムイオン二次電池の容量を表示する容量表示手段を設けたことを特徴とする電源装置。
【請求項３】
スタンドにより映像画面表示装置を支持したテレビジョン受像機において、請求項１又は２記載の電源装置を前記スタンドに配し、前記第１の交流電源出力端子よりの商用電源を前記映像画面表示装置に供給するようにしたことを特徴とするテレビジョン受像機。
【発明の詳細な説明】
【０００１】
【発明の属する技術分野】
本発明は、災害時、停電時等の不測の事態に備えた電源装置及びテレビジョン受像機に関する。
【０００２】
【従来の技術及び発明が解決しようとする課題】
一般に、災害時、停電時等の不測の事態においては、種々の情報を得るため、ラジオ受信機やテレビジョン受像機を使おうとするが、この災害時、停電時等の不測の事態においては一般には、商用電源が無くなるので、他の電気製品も含めて、このラジオ受信機やテレビジョン受像機等を使用することは不可能となる。
【０００３】
本発明は、斯る点に鑑み災害時、停電時等不測の事態が発生しても、ラジオ受信機、テレビジョン受像機、その他の電気製品を使用できるようにすることを目的とする。
【０００４】
【課題を解決するための手段】
本発明電源装置は商用電源入力端子と、リチウムイオン二次電池と、この商用電源入力端子よりの商用電源により、このリチウムイオン二次電池を充電する充電回路と、このリチウムイオン二次電池の直流電圧を所望の直流電圧に変換するＤＣ−ＤＣコンバータと、このリチウムイオン二次電池の直流電圧を所望の交流電圧に変換するＤＣ−ＡＣコンバータとを有し、この商用電源入力端子よりの商用電源をそのまま出力する第１の交流電源出力端子とこのＤＣ−ＤＣコンバータよりの所望の直流電圧を出力する直流電源出力端子とこのＤＣ−ＡＣコンバータよりの所望の交流電圧を出力する第２の交流電源出力端子とを設けたものである。
【０００５】
斯る本発明によれば、通常時は例えばテレビジョン受像機の電源を商用電源入力端子よりの商用電源がそのまま得られる第１の交流電源出力端子より得るようにすると共にこの商用電源入力端子よりの商用電源によりリチウムイオン二次電池の充電を行う如くしており、災害時、停電時等の不測の事態時においては、直流電源出力端子に得られる所望の直流電圧及び第２の交流電圧出力端子に得られる所望の交流電圧を使用し、ラジオ受信機、テレビジョン受像機、その他の電気製品を駆動し使用する如くする。
【０００６】
【発明の実施の形態】
以下、図面を参照して本発明電源装置及びテレビジョン受像機の実施の形態の例につき説明する。
【０００７】
図２Ａ，Ｂは本例によるテレビジョン受像機を示し、この本例によるテレビジョン受像機はスタンド１により例えば１０〜１４インチの液晶パネルより成る映像画面表示装置２を支持する如くしたものである。
【０００８】
本例においては、このスタンド１の筐体内に図１に示す如き電源装置を設ける如くする。この図１に示す電源装置につき説明するに、図１において、１０は商用電源が供給される商用電源入力端子を構成する電源プラグを示し、この電源プラグ１０の一端及び他端を電源スイッチ１１ａ及び１１ｂを介して充電回路１２の一方及び他方の入力端に接続する。
【０００９】
この電源スイッチ１１ａ及び１１ｂは、マイクロコンピュータより成る制御回路１３の指示に従ってオン・オフを制御する如くなされている。この制御回路１３はリモートコントローラ等の操作に従って所定の指示を出す如くなされている。図１において、１４はこの電源スイッチ１１ａ及び１１ｂのオン・オフを駆動する駆動回路である。
【００１０】
この電源スイッチ１１ａ及び１１ｂの充電回路１２側を商用電源検知回路１５の入力側に接続し、この商用電源検知回路１５で商用電源の有無を検知し、この検知信号を制御回路１３に供給する。
【００１１】
また、この電源スイッチ１１ａ及び１１ｂの夫々の充電回路１２側を夫々第１の交流電源出力端子１６ａ，１６ｂに接続し、この第１の交流電源出力端子１６ａ，１６ｂに得られる商用電源を液晶パネルより成る映像画面表示装置２に供給する如くする。この映像画面表示装置２は周知のテレビジョン受像機本体であり、本例では液晶テレビジョン受像機本体と同様に構成するものとする。
【００１２】
この充電回路１２は周知のリチウムイオン二次電池の充電回路と同様のものとし、この充電回路１２の正出力端子をリチウムイオン二次電池の組電池１７の正極端子１７ａに接続し、この充電回路１２の負出力端子をこの組電池１７の負極端子１７ｂに接続する。
【００１３】
このリチウムイオン二次電池の組電池１７は例えば直列接続した４個のリチウムイオン二次電池を２組並列に接続する如くしたものである。このリチウムイオン二次電池の組電池１７は、この両端子１７ａ及び１７ｂ間の電池電圧と電池容量との関係が図３に示す如く略逆比例関係にあり、この電池電圧を知ることによりこの電池容量を知ることができる。
【００１４】
この組電池１７の正極端子１７ａ及び負極端子１７ｂを容量検出回路１８の入力側に接続し、この容量検出回路１８により検出した電池容量（バッテリー残量）を例えばこのスタンド１の所定位置に設けた容量表示メータ１９により表示する如くする。またこの容量検出回路１８により検出した電池容量を制御回路１３に供給し、この制御回路１３においては、この電池容量値により充電回路１２を制御する如くする。
【００１５】
本例においては、組電池１７の正極端子１７ａ及び負極端子１７ｂ間に得られる直流電圧を所望の交流電圧例えば１００Ｖの交流電圧を得るＤＣ−ＡＣコンバータ２０に供給し、このＤＣ−ＡＣコンバータ２０に得られる例えば１００Ｖの交流電圧を交流電源出力端子２１ａ，２１ｂに供給する如くする。図２にはこの交流電源出力端子２１ａ，２１ｂをコンセント２１として示す。このＤＣ−ＡＣコンバータ２０を制御回路１３により制御する如くする。
【００１６】
また、本例においては、この組電池１７の正極端子１７ａ及び負極端子１７ｂ間に得られる直流電圧を所望の直流電圧例えば１２Ｖの直流電圧を得るＤＣ−ＤＣコンバータ２２に供給し、このＤＣ−ＤＣコンバータ２２に得られる例えば１２Ｖの直流電圧を直流電源出力端子２３ａ，２３ｂに供給する如くする。図２にはこの直流電源出力端子２３ａ，２３ｂをコンセント２３として示す。
【００１７】
また、本例においては、このスタンドの所定位置に非常用ライト２５を設け、非常時に、この非常用ライト２５を組電池１７を電源として点灯することができる如くする。またこのスタンド１内にＧＰＳを内蔵する如くし、このテレビジョン受像機の位置（ユーザの位置）を非常時に他人に知らせることができる如くする。
【００１８】
また、図２において、２６は映像画面表示装置２の上部に設けたこのテレビジョン受像機の持ち運び用の取手である。また２７はテレビジョン放送信号の受信用のロッドアンテナである。
【００１９】
本例は上述の如く構成されているので、通常時はテレビジョン受像機の映像画面表示装置２の電源として電源プラグ１０に得られる商用電源が電源スイッチ１１ａ，１１ｂ、第１の交流電源出力端子１６ａ，１６ｂを介して供給され、映像画面表示装置２によりテレビジョン放送信号を視聴する如くすると共にこの電源プラグ１０よりの商用電源が電源スイッチ１１ａ，１１ｂを介して充電回路１２に供給され、この充電回路１２によりリチウムイオン二次電池の組電池１７が充電され、災害時、停電時等の不測の事態時に備える如くしている。
【００２０】
災害時、停電時等の不測の事態時においては、このリチウムイオン二次電池の組電池１７を電源として使用し、直流電源出力端子２３ａ，２３ｂに得られる所望の直流電圧及び第２の交流電源出力端子２１ａ，２１ｂに得られる所望の交流電圧を用い、情報取得用のラジオ受信機、テレビジョン受像機、炊き出し用の電気調理器具、防寒用の電気ストーブ、携帯電話の充電器等を使用することができる。
【００２１】
尚、本発明は上述例に限ることなく、本発明の要旨を逸脱することなくその他種々の構成が取り得ることは勿論である。
【００２２】
【発明の効果】
本発明によれば災害時、停電時等の不測の事態時においては、このリチウムイオン二次電池の組電池を電源として使用し、直流電源出力端子に得られる所望の直流電圧及び第２の交流電源出力端子に得られる所望の交流電圧を用い、情報取得用のラジオ受信機、テレビジョン受像機、炊き出し用の電気調理器具、防寒用の電気ストーブ、携帯電話の充電器等を使用することができる。
【図面の簡単な説明】
【図１】本発明電源装置の実施の形態の例を示す構成図である。
【図２】本発明テレビジョン受像機の実施の形態の例を示し、Ａは前方側斜視図、Ｂは後方側斜視図である。
【図３】本発明の説明に供する線図である。
【符号の説明】
１‥‥スタンド、２‥‥映像画面表示装置、１０‥‥電源プラグ、１１ａ，１１ｂ‥‥電源スイッチ、１２‥‥充電回路、１３‥‥制御回路、１６ａ，１６ｂ‥‥第１の交流電源出力端子、１７‥‥リチウムイオン二次電池、１８‥‥容量検出回路、１９‥‥容量表示メータ、２０‥‥ＤＣ−ＡＣコンバータ、２１ａ，２１ｂ‥‥第２の交流電源出力端子、２２‥‥ＤＣ−ＤＣコンバータ、２３ａ，２３ｂ‥‥直流電源出力端子
【図１】
2004147022.tif 000003
【図２】
2004147022.tif 000004
【図３】
2004147022.tif 000005